(57)【要約】      （修正有）【課題】マスク本体が半透明であって、着用者の表情を確認することができるとともに、着用感に優れた使い捨てマスクを提供する。【解決手段】マスク本体２０は、半透明であって、マスク本体２０の幅方向Ｘの中央部において上下方向Ｙへ延びる、他の領域に比べて剛性の高い高剛性域４０と、高剛性域４０と少なくとも一方の側縁部との間において幅方向Ｘへ延びるマスク本体２０をカップ状に変形するための変形誘導手段５１，５２とを有する。【選択図】図１
0003205181.tif 000002
【実用新案登録請求の範囲】
【請求項１】
上下方向及び幅方向を有し、肌対向面側及び非肌対向面側と、マスク本体と、前記マスク本体の両側縁部に接合された一対の耳掛け部とを含む使い捨てマスクにおいて、
前記マスク本体は、半透明であって、前記マスク本体の前記幅方向の中央部において前記上下方向へ延びる、他の領域に比べて剛性の高い高剛性域と、
前記高剛性域と少なくとも一方の側縁部との間において前記幅方向へ延びるマスク本体をカップ状に変形するための変形誘導手段とを有することを特徴とするマスク。
【請求項２】
前記マスク本体は、前記肌対向面側に位置する内層と、前記非肌対向面側に位置する外層とを有し、前記内層は繊維不織布から形成されており、前記外層はプラスチックフィルムから形成されている請求項１に記載のマスク。
【請求項３】
前記プラスチックフィルムは、厚さが６０〜２００μであって、厚さ５０〜１００μの二軸延伸ポリプロピレンフィルムからなる第１シートと、厚さ２０〜６０μの未延伸ポリプロピレンフィルムからなる第２シートとのラミネートフィルムである請求項１又は２に記載のマスク。
【請求項４】
前記マスク本体を前記高剛性域に沿って２つ折りにした状態において、前記マスク本体の上端部の前記幅方向の寸法Ｌ２と、前記マスク本体の下端部の前記幅方向における寸法Ｌ３との寸法比率Ｌ２／Ｌ３が、０．８９〜４．０である請求項１〜３のいずれかに記載のマスク。
【請求項５】
前記マスク本体と前記耳掛け部とをシールするサイドシール域をさらに有し、前記マスク本体の下端縁と前記サイドシール域の内側縁との交角は、７５〜１３０度である請求項１〜４のいずれかに記載のマスク。
【請求項６】
前記上下方向の寸法を２等分する横断中心線をさらに有し、前記横断中心線上における前記マスク本体の前記幅方向の寸法Ｌ４と前記横断中心線上における前記耳掛け部の前記幅方向の寸法Ｌ５との寸法比率Ｌ４／Ｌ５が、０．５４〜０．９６である請求項１〜５のいずれかに記載のマスク。
【請求項７】
前記マスク本体は、一対のパネル部材から構成されており、前記高剛性域は、前記一対のパネル部材を互いに接合する中央シール域である請求項１〜６のいずれかに記載のマスク。
【請求項８】
前記変形誘導手段は、前記マスク本体の前記肌対向面側又は前記非肌対向面側に位置する凹状ラインである請求項１〜７のいずれかに記載のマスク。
【請求項９】
着用状態において、前記マスク本体が着用者の下顎部に当接される当接部分を有し、前記当接部分を支点として、顔面に対して斜め下方に位置した状態で安定的に維持され、前記着用者の鼻部が露出している請求項１〜８のいずれかに記載のマスク。
【考案の詳細な説明】
【技術分野】
【０００１】
本考案は、使い捨てマスクに関する。
【背景技術】
【０００２】
従来、衛生目的で使用される使い捨てマスクは、公知である。例えば、特許文献１には、左右一対のパネル部材から構成されたマスク本体と、マスク本体の両側縁部に取り付けられた繊維不織布製の一対の耳掛け部とを含む使い捨てマスクが開示されている。また、特許文献２は、１枚の透明プラスチックフィルムから形成されたマスク本体と、マスク本体の両側縁部に接合されたゴム紐からなる一対の耳掛け部とを有する使い捨てマスクが開示されている。
【先行技術文献】
【特許文献】
【０００３】
【特許文献１】特開２００６−３２０６２９号公報
【特許文献２】実用新案登録第３１８２６８４号公報
【考案の概要】
【考案が解決しようとする課題】
【０００４】
特許文献１に開示された考案に係る使い捨てマスクによれば、マスク本体が、フィルター機能を有する非通気性の左右一対のパネル部材から構成されていることから立体的な形状を有し、着用者の顔面にフィットした状態で全体を広く覆うことができ、内部にウイルス等が進入するのを防止することができる。
【０００５】
しかしながら、顔面全体を被覆することから、調理場や食品工場等の食品を取り扱う現場において、外部から着用者の顔の表情や口の動きを視認することができずに、接客時に対面する客や調理場内の従業者等とコミュニケーションを取り難かった。また、作業中に会話するとき等に、飛沫状の唾液が食品に入り込むのを防止するために、マスク本体を非透液性及び非通気性の材料から形成した場合には、顔面全体がかかる部材によって覆われることになるので吸排気し難くなり、着用者が息苦しさを感じるおそれがある。
【０００６】
特許文献２に開示された考案に係る使い捨てマスクによれば、マスク本体が１枚の透明かつ非通気性（非透液性）のプラスチックフィルムから形成されて透明であって、かつ、着用状態において顔面から離間しているから、着用者の顔の表情を確認することができるとともに、口部から上方が露出した状態にあるので、着用中に息苦しさを感じることはない。また、着用状態において、非透液性のマスク本体が少なくとも口部を被覆するようにその前方に離間して位置することから、会話したときに飛散する泡沫状の唾液が食品に入り込むのを防止することができる。
【０００７】
しかしながら、マスク本体が１枚の透明プラスチックフィルムから形成されていることから、繊維不織布製の使い捨てマスク等に比べて剛性が高く、かつ、平面的な形状であるために顔面形状に沿い難く、結果として着用感が低下して、着用中に位置ずれしやすくなっていた。
【０００８】
本考案の課題は、従来の使い捨てマスクの改良であって、マスク本体が半透明であって、着用者の表情を確認することができるとともに、立体的で着用感に優れた使い捨てマスクの提供に関する。
【課題を解決するための手段】
【０００９】
前記課題を解決するために、本考案の使い捨てマスクは、上下方向及び幅方向を有し、肌対向面側及び非肌対向面側と、マスク本体と、前記マスク本体の両側縁部に接合された一対の耳掛け部とを含む使い捨てマスクに関する。
【００１０】
本考案に係る使い捨てマスクは、前記マスク本体は、半透明であって、前記マスク本体の前記幅方向の中央部において前記上下方向へ延びる、他の領域に比べて剛性の高い高剛性域と、前記高剛性域と少なくとも一方の側縁部との間において前記幅方向へ延びる前記マスク本体をカップ状に変形するための変形誘導手段とを有することを特徴とする。
【００１１】
前記マスク本体は、前記肌対向面側に位置する内層と、前記非肌対向面側に位置する外層とを有し、前記内層は繊維不織布から形成されており、前記外層はプラスチックフィルムから形成されていることから、肌触り性及び吸汗性に優れるとともに、全体として半透明となって、着用者の表情を視認することができる。
【００１２】
前記プラスチックフィルムは、厚さが６０〜２００μであって、厚さ５０〜１００μの二軸延伸ポリプロピレンフィルムからなる第１シートと、厚さ２０〜６０μの未延伸ポリプロピレンフィルムからなる第２シートとのラミネートフィルムであることから、所要の剛性を有し、通常の使用状態においてカップ形状が崩れない程度の保形性を有する。
【００１３】
前記マスク本体を前記高剛性域に沿って２つ折りにした状態において、前記マスク本体の上端部の前記幅方向の寸法Ｌ２と、前記マスク本体の下端部の前記幅方向における寸法Ｌ３との寸法比率Ｌ２／Ｌ３が、０．８９〜４．０であることから、マスク本体２０の先端部１５が顔面から離間した状態で着用することができ、着用者に耳部に痛みを感じさせることもない。
【００１４】
前記マスク本体と前記耳掛け部とをシールするサイドシール域をさらに有し、前記マスク本体の下端縁と前記サイドシール域の内側縁との交角は、７５〜１３０度であることから、マスク本体の一部が下顎部に当接され、それを支点としてマスクを顔面に対して斜めに位置した状態で着用させることができる。
【００１５】
前記上下方向の寸法を２等分する横断中心線をさらに有し、前記横断中心線上における前記マスク本体の前記幅方向の寸法Ｌ４と前記横断中心線上における前記耳掛け部の前記幅方向の寸法Ｌ５との寸法比率Ｌ４／Ｌ５が、０．５４〜０．９６であることから、マスクを着用したときに、正面視において、着用者の耳部全体が視認されることはなく、見た目にも良好である。
【００１６】
前記マスク本体は、一対のパネル部材から構成されており、前記高剛性域は、前記一対のパネル部材を互いに接合する中央シール域であることから、マスク本体が確実にカップ状の立体形状を呈することができる。
【００１７】
前記変形誘導手段は、前記マスク本体の前記肌対向面側又は前記非肌対向面側に位置する凹状ラインであることから、着用状態において、マスク本体の一部が顔面に当接されて、着用中に位置ずれが抑制される。
【００１８】
着用状態において、前記マスク本体が着用者の下顎部に当接される当接部分を有し、前記当接部分を支点として、顔面に対して斜め下方に位置した状態で安定的に維持され、前記着用者の鼻部が露出していることから、マスク本体が唾液の飛散防止のために通気性を有していなくても（非透液性であっても）、着用者の吸排気が妨げられて息苦しさを感じることはない。
【考案の効果】
【００１９】
本考案の一つ以上の実施の形態に係る使い捨てマスクによれば、マスク本体が半透明であるから、着用者の顔の表情を視認することができるとともに、高剛性域及び変形誘導手段を有することによって、着用者の顔面からマスクの先端部が離間した着用状態において、ずれを抑制することができる。
【図面の簡単な説明】
【００２０】
図面は、本考案の特定の実施の形態を示し、考案の不可欠な構成ばかりでなく、選択的及び好ましい実施の形態を含む。
【図１】本考案の第１実施形態に係る使い捨てマスクの斜視図。
【図２】マスクの平面図。
【図３】マスクを高剛性域に沿って２つ折りにした状態における平面図。
【図４】図３のＩＶ−ＩＶ線に沿う断面図。
【図５】（ａ）着用状態におけるマスクの側面図。（ｂ）着用状態におけるマスクを上方から視た図。（ｃ）着用状態におけるマスクを正面から視た図。
【図６】（ａ）本考案の第２実施形態に係るマスクの着用状態における側面図。（ｂ）着用状態における顎部側から視たマスクの斜視図。
【考案を実施するための形態】
【００２１】
下記の実施の形態は、図１〜図６に示す使い捨てマスクに関し、考案の不可欠な構成ばかりでなく、選択的及び好ましい構成を含む。
【００２２】
＜第１実施形態＞
図１〜図３を参照すると、本考案の使い捨てマスクの一例として示す、マスク１０は、上下方向Ｙ及び幅方向Ｘと、前後方向Ｚとを有し、肌対向面側及び非肌対向面側と、上下方向Ｙの寸法を２等分する横断中心線Ｑと、幅方向Ｘの寸法を２等分する縦断中心線Ｐと、マスク本体２０と、マスク本体２０の両側縁から延びる一対の耳掛け部３０とを含む。
【００２３】
マスク本体２０は、幅方向Ｘにおいて対向する同形同大の第１及び第２パネル部材２１，２２と、幅方向へ延びる上下端縁２０ａ，２０ｂと、上下方向Ｙへ延びる両側縁とを有する。第１パネル部材２１と第２パネル部材２２とは、幅方向Ｘにおいて対向する内側縁部２１Ａ，２２Ａと外側縁部２１Ｂ，２２Ｂとを有し、それらの内側縁部２１Ａ，２２Ａの内面（肌対向面）が互いに当接して重ね合された状態（合掌状）で接合されている。また、第１及び第２パネル部材２１，２２の外側縁部２１Ｂ，２２Ｂには、繊維不織布製の耳掛け部３０の内側縁部３１が接合されている。
【００２４】
図４を参照すると、マスク本体２０を形成する第１及び第２パネル部材２１，２２は、肌対向面側に位置する内層２３と、非肌対向面側に位置する外層２４とを有する。内層２３は、例えば、熱融着性繊維を含む質量１０〜４０ｇ／ｍ２の好ましくは通気性を有する繊維不織布シートであって、スパンボンド繊維不織布、メルトブローン繊維不織布、ＳＭＳ繊維不織布及びエアスルー繊維不織布等の各種公知の繊維不織布から形成される。外層２４としては、厚さが６０〜２００μの透明又は半透明のプラスチックフィルムであって、単層又は複数のプラスチックフィルムを積層したラミネートフィルムを用いることができる。本実施形態においては、外層２４は、厚さ５０〜１００μの二軸延伸ポリプロピレンフィルムからなる第１シート２５と、厚さ２０〜６０μの未延伸ポリプロピレンフィルムのラミネートフィルムからなる第２シート２６とから形成されている。
【００２５】
内層２３と外層２４とは、一方の対向面全体に塗布されたホットメルト接着剤（図示せず）によって互いに接合されている。マスク本体２０が、透明又は半透明のプラスチックフィルムと比較的に肉薄の繊維不織布とを接合してなる積層シートから構成されていることによって、全体として外部から透視可能である。マスク本体２０が、透明プラスチックフィルム製の外層２４を有することから、全体が繊維不織布のみから形成される場合に比べて高い剛性を有し、着用したときに、立体的なカップ形状を維持しやすくなる。また、マスク本体２０の内層２３がプラスチックフィルムに比べて柔軟な繊維不織布で形成されることによって、肌触りが良好であって、吸汗性にも優れる。
【００２６】
耳掛け部３０は、マスク本体２０の両側縁部（第１及び第２パネル部材２１，２２の外側縁部２１Ｂ，２２Ｂ）に連結された内側縁部３１と、幅方向Ｘの外方へ凸曲した形状を有する外側縁部３２とを有する。耳掛け部３０は、弾性的に伸長、収縮可能であって比較的に柔軟性に優れた、熱可塑性繊維を含む繊維不織布であって、例えば、スパンレース繊維不織布、スパンボンド繊維不織布、ＳＭＳ繊維不織布、エアスルー繊維不織布及びメルトブローン繊維不織布等の各種公知の繊維不織布を使用することができる。また、耳掛け部３０は、着用者の耳部を挿通するための幅方向Ｘへ延びるスリット３３を有する。
【００２７】
マスク本体２０は、第１及び第２パネル部材２１，２２の内側縁部２１Ａ，２２Ａが互いに接合された、マスク本体２０の他の領域に比べて剛性の高い高剛性域（中央シール域）４０と、外側縁部２１Ｂ，２２Ｂと耳掛け部３０の内側縁部３１とが互いに接合された一対のサイドシール域４１とを有する。高剛性域４０は、第１及び第２パネル部材２１，２２の内側縁部２１Ａ，２２Ａにおいて上下方向Ｙへ延びる一対のシールライン（熱溶着ライン）であって、複数のドット状の溶着部が連続的して前方へ凸曲状に延びている。サイドシール域４１は、上下方向Ｙ及び幅方向Ｘにおいて所定間隔を空けて配置された複数のドット状の溶着部から形成された熱溶着ラインであって、縦断中心線Ｐに対して傾斜している。本実施形態において、マスク本体２０は、高剛性域４０において互いに接合された第１及び第２パネル部材２１，２２からなる複合パネルであるが、１つのパネルから形成されていてよい。その場合には、高剛性域４０は、熱溶着加工によって形成された溶着ラインではなく、型押し加工又はエンボス加工を施すことによって圧縮されたラインであってもよい。なお、マスク１０の外形寸法は、適宜設計変更が可能であるが、通常の大人用のマスク１０においては、サイドシール域４１の幅寸法Ｗ１は、５〜１５ｍｍである。サイドシール域４１においては、耳掛け部３０の伸縮性が除去又は阻害されている。
【００２８】
図３は、第１パネル部材２１と第２パネル部材２２の内面が互いに当接するように、高剛性域４０に沿ってマスク１０を２つ折りにした状態における、第１パネル部材２１側の平面図である。マスク１０は、縦断中心線Ｐに関して対称の外形をなしているから、第２パネル部材２２側の説明を省略する。
【００２９】
図１〜３を参照すると、マスク本体２０の中央部には、縦断中心線Ｐを介して対向して幅方向Ｘへ延びる一対の変形誘導手段５１，５２が位置している。変形誘導手段５１，５２は、着用状態において、マスク本体２０をカップ状へ変形するためのものであって、肌対向面側又は非肌対向面側へ凹となる凹状ラインである。変形誘導手段５１，５２は、マスク１０を２つ折りにして重ねた状態において互いに重なり合う凸状を有している。変形誘導手段５１，５２は、マスク本体２０の肌対向面側又は非肌対向面側に凹となるように別々に型押し加工を施すことによって形成することもできるが、２つ折りに重なり合う状態において、第２パネル部材２２側（又は第１パネル部材２１側）から第１パネル部材２１（又は第２パネル部材２２側）へ型押しすることによって、１度の加工で第１パネル部材２１と第２パネル部材２２との両方に変形誘導手段５１，５２を形成することができる。
【００３０】
このように、１度の型押し加工によって変形誘導手段５１，５２を形成することによって、マスク１０の展開状態において、第１パネル部材２１においては、変形誘導手段５１が肌対向面側に位置する凹状ライン、第２パネル部材２２においては、変形誘導手段５２が非肌対向面側に位置する凹状ラインとなる。なお、本実施形態においては、変形誘導手段５１，５２は、加工のし易さから積層されたときに同じ方向へ凸となるように型押しされているが、例えば、別々に型押し加工をして、積層されたときに互い対向して凸となるように形成されていてもよい。さらに、変形誘導手段５１，５２は、着用状態において、マスク本体２０の一部を変形して所要のフィット性を確保できる限りにおいて、第１及び第２パネル部材２１，２２のうちの一方のみに形成されていてよいし、１条の凹状ラインではなくて、上下方向Ｙにおいて並ぶ複数の凹状ラインであってもよいし、断続的に幅方向Ｘへ延びていてもよい。
【００３１】
図５（ａ）〜（ｃ）を参照すると、マスク１０の着用状態において、マスク１０の中央シール域４０の上端に位置するマスク本体２０の先端部１５が、着用者の顔面から離間しており、マスク本体２０と顔面との間には、スペースＳが形成されている。一般に市販されている、マスク内にウイルスや微塵を入り込むのを防止するための衛生マスクにおいては、マスク本体の内面全体が顔面に密着した状態で使用されるが、本実施形態に係るマスク１０では、マスク本体２０の先端部１５が着用者の鼻部から離間してその下方に位置しているので、口部が塞がれることなく自由に動かすことができ、発した声が籠ることはない。したがって、飲食業界の調理や配膳の現場において、作業者間の会話をスムーズに行うことができ、また、口部全体がマスク本体２０でカバーされていることによって、飛沫状の唾液が食品に入り込むおそれはない。
【００３２】
マスク本体２０は、その幅方向Ｘの中央部において上下方向Ｙへ延びる、他の領域に比べて高い剛性を有する高剛性域４０が位置することによって、その一部を屈曲させてカップ状の立体形状を維持することができる。また、マスク本体２０が高剛性域４０を介して屈曲されたカップ状に成形されたとしても、全体が顔面から離間した状態ではフィット性が低く、着用している間に大きくズレ下がってしまうおそれがあるが、高剛性域４０と少なくとも一方の側縁部２１Ｂ，２２Ｂとの間において幅方向Ｘへ延びる変形誘導手段５１，５２が位置することによって、マスク本体２０の一部が顔面へ向かって屈曲されて、かかるズレ下がりを抑制することができる。
【００３３】
また、マスク本体２０全体が半透明であるので、会話をしている相手方は、着用者の顔の表情や口の動きを視認することができる。一方、マスク本体全体が透明のプラスチックフィルムのみから形成されている場合には、内面に付着した飛沫状の唾液が外部から視認されて他人に不快感や不衛生な印象を与えるおそれがあるが、マスク本体２０の内面に繊維不織布製の内層２３が位置することによって、唾液の一部が繊維間に入り込んで吸収されるとともに、マスク本体２０全体が透明ではなく半透明の状態にあることから、内面に付着した唾液が明瞭に視認され難くすることができる。
【００３４】
このように、マスク１０のマスク本体２０は、透明プラスチックフィルムと繊維不織布とのラミネート構造を有することから、マスク本体全体を繊維不織布から形成する場合に比して軽量であって、かつ、保形性に優れる。したがって、着用したときに、マスク本体２０が顔面から離間して耳部から吊り下げられたような状態になっても重さを感じることなく長時間着用することができ、また、外部から衝撃を受けでも凹んでカップ状の立体形状が崩れるおそれもない。さらに、耳掛け部３０が、ゴム紐等の細長弾性体から形成されている場合には、その張力（テンション）によって耳部が擦れて痛みを感じることがあるが、細長弾性体に比べて柔軟性に優れた繊維不織布を使用することによって肌当たりが良好になり、長時間着用しても痛みを感じることはない。
【００３５】
再び、図２及び図３を参照すると、高剛性域４０に沿ってマスク１０を２つ折りにした状態において、マスク本体２０は、上端縁２０ａに沿って高剛性域４０からサイドシール域４１の内側縁４１ａまで延びる上端部６１と、下端縁２０ｂに沿って高剛性域４０からサイドシール域４１の内側縁４１ａまで延びる下端部６２とを有する。マスク本体２０の上端部６１の幅方向Ｘにおける寸法Ｌ２と、マスク本体２０の下端部６２の幅方向Ｘにおける寸法Ｌ３との寸法比率Ｌ２／Ｌ３が、０．８９〜４．０である。寸法比Ｌ２／Ｌ３が０．８９以下の大きさである場合には、上端部６１が鼻部の近くに位置してそれと当接又は僅かに離間した態様となるので、マスク本体２０が通気性を有していないことと相俟って、呼吸がし難くなって、息苦しさを感じるおそれがある。一方、寸法比率Ｌ２／Ｌ３が４．０以上の場合には、マスク本体２０の上端部６１が着用者の鼻部がから離間しすぎて飛沫状の唾液が外部に飛散するのを防止することができず、かつ、耳部が下方へ引っ張られて耳部が擦れて痛みを感じるおそれがある。
【００３６】
マスク本体２０の下端縁２０ｂとサイドシール域４１の内側縁４１ａの交角θは、７５〜１３０度であることが好ましい。交角θが７５度以下の場合には、寸法比Ｌ２／Ｌ３が０．８９以下の場合と同様の使用上の弊害が生じ、交角θが１３０度以上の場合には、寸法比Ｌ２／Ｌ３が４．０以上の場合と同様の使用上の弊害が生じるおそれがある。
【００３７】
横断中心線Ｑ上におけるマスク本体２０の幅方向Ｘの寸法（高剛性域４０からサイドシール域４１の内側縁４１ａまでの寸法）Ｌ４は、横断中心線Ｑ上の耳掛け部３０の幅方向Ｘの寸法（サイドシール域４１の内側縁４１ａから耳掛け部３０の外側縁までの寸法）Ｌ５との寸法比Ｌ４／Ｌ５は、０．５４〜０．９６であることが好ましい。寸法比Ｌ４／Ｌ５が０．５４以下である場合には、マスク１０全体面積における耳掛け部３０の割り合いが比較的に大きくなり、正面視において、耳掛け部３０が目立って意匠性が低下する。一方、寸法比Ｌ４／Ｌ５が０．９６以上の場合には、耳掛け部３０の幅寸法Ｌ５が比較的に短くなって耳部に引っ掛け難くなり、無理に引っ掛けて着用しようとすると、マスク本体２０が顔面に向かって移動して上端縁２０ａが鼻部に食い込んだりして、着用感が低下するおそれがある。
【００３８】
以上のように、マスク本体２０と耳掛け部３０とをサイドシール域４１において重ね合わせた状態で接合し、かつ、マスク本体２０の下端部６２の幅寸法Ｌ３を上端部６１の幅寸法Ｌ２よりも小さくすることによって、また、マスク本体２０に変形誘導手段５１，５２が位置することと相俟って、着用者の下顎部にマスク本体２０が当接され、かかる当接部分７０を支点として、マスク１０が顔面に対して斜め下方に位置した状態で安定的に着用される。かかる着用状態が安定的に維持されることによって、マスク本体２０の先端部１５が顔面から離間してスペースＳが形成され、飛沫状の唾液の飛散が防止されるとともに、発した声が籠って聞き取りに難くなることもない。また、離間スペースＳが形成されることによって、例えば、着用者が女性の場合には、口紅や化粧がマスク１０に付着することを避けることができる。
【００３９】
＜マスクの着用感及び正面視における印象に関する評価＞
下記の表１は、実施例１〜５及び比較例１，２のマスクの着用感に関する評価結果を示したものであって、下記の表２は、実施例６〜９及び比較例３，４におけるマスクの正面視における印象に関する評価結果を示したものである。
【００４０】
表１は、マスク本体２０の上端部６１の幅寸法Ｌ２と下端部６２の幅寸法Ｌ３との比率が変化するように、マスク本体２０の下端縁１０ｂとサイドシール域４１の内側縁４１ａとの交角（θ）の大きさを変更したサンプルを複数作製し、各サンプルを被験者１０名（成人男性５名、成人女性５名）に着用させて、着用後５分経過後における、耳掛け部３０の張力による耳部の痛みの有無を評価したものである。各被験者が、耳部に痛みを感じない場合には、「○（良）」、僅かに痛みを感じるが、どちらともいえない場合には「△（可）」、強い痛みを感じる場合には、「×（不可）」とした。サンプルごとに、最も多かった評価結果を表１に記載した。
【００４１】
【表１】
0003205181.tif 000003
【００４２】
表１の評価結果によれば、実施例１〜５においては、マスク本体２０の上端部６１の寸法Ｌ２と下端部６２の寸法Ｌ３との比率（Ｌ２／Ｌ３）が０．８９〜４．０の範囲内であり、かつ、マスク本体２０の下端縁２０ｂとサイドシール域４１の内側縁４１ａとの交角θが、７５〜１３０度の範囲内にあったので、マスク１０が下顎部に当接する部分７０を支点として顔面に対して斜めになった状態で安定的に着用されて、着用者が耳部に痛みを感じることはなかった。一方、比較例１においては、寸法Ｌ２及び寸法Ｌ３の比率（Ｌ２／Ｌ３）は９．０であり、交角θは１３１度であってサイドシール域４１は大きく傾斜しており、着用状態において、マスク本体２０の上端部６１が顔面に接近し、耳部が強く引っ張られて痛みを感じるとともに、頬部との間に隙間が形成された。また、比較例２においては、マスク本体２０の先端部１５と鼻部との離間寸法が０ｍｍであって、支点が下顎部に当接する部分７０と鼻部に当接する部分との２つになることによって耳部の痛みを感じない代わりに、上端部６１が鼻部に食い込むように当接し、刺激を感じた。
【００４３】
表２は、横断中心線Ｑ上におけるマスク本体２０の幅寸法Ｌ４と横断中心線Ｑにおける耳掛け部３０の幅寸法Ｌ５との比率比Ｌ４／Ｌ５が変化するように、耳掛け部３０の幅寸法Ｌ５の大きさを変更した複数のサンプルを作製し、各サンプルを市販のフェイス型スキンドール（レッジーナ社製、Ｆ−３００Ｓ，バイオスキンドール）に装着させて、表１の評価を行った被験者１０名に正面視からの印象を評価させた。各被験者が、耳部の全体が耳掛け部３０に覆われて視認されないことから、見た目が良いと感じた場合には、「○（良）」、耳部が耳掛け部３０に覆われることなく、全体的に視認されて見た目が悪いと感じた場合には、「×（不可）」として評価した。被験者の評価結果のうちで最も多い評価を表２に示した。
【００４４】
【表２】
0003205181.tif 000004
【００４５】
表２の評価結果によれば、実施例６〜９において、寸法比Ｌ４／Ｌ５が、０．５４〜０．９６であるので、図５（ｃ）に示すように、正面視において、耳部が耳掛け部３０によって被覆されており、すっきりとした印象を与えた。一方、比較例３においては、寸法比Ｌ４／Ｌ５が、０．４３であって、耳掛け部３０の幅寸法Ｌ５が相対的に大きくなりすぎて、耳部から垂れ下がったような状態となり、正面視において耳部全体が視認されて、見た目において悪い印象を与えた。また、比較例４においては、寸法比Ｌ４／Ｌ５が１．１８であって、耳掛け部３０の長さ寸法Ｌ５が相対的に小さすぎたために、耳掛け部３０が耳部を被覆することができず全体が視認されて、見た目において悪い印象を与えた。
【００４６】
＜第２実施形態＞
図６（ａ）は、第２実施形態に係るマスク１０の着用状態における側面図、図６（ｂ）は、顎部側から視たマスク１０の斜視図である。本実施形態に係るマスク１０は、第１実施形態に係るマスク１０と基本的構成が同じであるので、相違する点についてのみ以下に説明する。
【００４７】
図６（ａ）を参照すると、本実施形態に係るマスク１０においては、耳掛け部３０が、１本の帯状弾性シートから形成されており、具体的には、熱可塑性ポリウレタンエラストマーからなる長繊維を含むスパンボンド繊維不織布から形成されている。また、耳掛け部３０に使用する帯状弾性シートは、その伸縮性を向上させるために、全体又はその一部がギア延伸加工されていることが好ましい。耳掛け部３０が、帯状弾性シートから形成される場合には、第１実施形態のように比較的に広い範囲で顔面に当接される場合に比べて耳部に痛みを与えるおそれがあるが、弾性伸縮性に富む弾性不織布を使用することによって、耳部へのかかる負担を軽減することができる。また、第１実施形態に比べて、耳掛け部３０に使用する資材が少ないので安価に製造することができ、印刷加工がしやすく、色彩や模様を付して意匠を高めることができる。また、マスク本体２０についても、グラビア印刷によって意匠要素を付与し、マスク１０全体の意匠性を高めることもできる。
【００４８】
図６（ｂ）を参照すると、また、耳掛け部３０が１本の帯状弾性シートから形成されていることによって、耳掛け部３０は、一方の耳部から下顎部を回って他方の耳部に延び、さらに頭部の背面を横断するように掛け回されている。かかる着用態様であっても、左右両側において下顎部に当接する部分７０を支点としてマスク１０が顔面に対して斜めになった状態で安定して支持されていることによって、着用中に大きく位置ずれすることはない。
【００４９】
本考案のマスク１０を構成する各構成材料には、特に記述がなされている場合を除き、この種の分野において通常用いられている、各種の公知の材料を制限なく用いることができる。
【符号の説明】
【００５０】
１０  マスク
２０  マスク本体
２１  第１パネル部材
２２  第２パネル部材
２３  内層
２４  外層（プラスチックフィルム）
２５  第１シート
２６  第２シート
３０  耳掛け部
４０  高剛性域（中央シール域）
４１  サイドシール域
４１ａ  サイドシール域の内側縁
５１，５２  変形誘導手段
６１  マスク本体の上端部
６２  マスク本体の下端部
７０  当接部分
Ｌ２  マスク本体の上端部の幅方向における寸法
Ｌ３  マスク本体の下端部の幅方向における寸法
Ｌ４  横断中心線上における、マスク本体の幅方向の寸法
Ｌ５  横断中心線上における、耳掛け部の幅方向の寸法
Ｘ  幅寸法
Ｙ  上下方向
Ｑ  横断中心線
θ  交角
【図１】
0003205181.tif 000005
【図２】
0003205181.tif 000006
【図３】
0003205181.tif 000007
【図４】
0003205181.tif 000008
【図５】
0003205181.tif 000009
【図６】
0003205181.tif 000010